(57)【要約】【課題】背部からの捕食に際して口の中に入り易く、且つ針掛かりが良く、更には背部に配備した釣り針が動きを妨げる障害とならないようにしたルアーを提供する。【解決手段】ルアー本体１の背部に釣り針３の胴部基端が揺動自在に連結し、該釣り針３と前記ルアー本体１とには、両者を磁力により吸着し釣り針３を前記ルアー本体１の背部に倒した状態で固定する吸着手段６を備えた。【選択図】  図３
2004337063.tif 000002
【特許請求の範囲】
【請求項１】
ルアー本体の背部に釣り針の胴部基端が揺動自在に連結され、該釣り針と前記ルアー本体とには、両者を磁力により吸着し釣り針を前記ルアー本体の背部に倒した状態で固定する吸着手段が備えられていることを特徴とするルアー。
【請求項２】
前記吸着手段は、磁性体で全部或いは一部が構成された釣り針と、ルアー本体に設けられた磁石からなることを特徴とする請求項１に記載のルアー。
【請求項３】
前記ルアー本体の背部の釣り針固定位置には、前記倒した釣り針の胴部が納まる凹部が設けられていることを特徴とする請求項２に記載のルアー。
【請求項４】
ルアー本体の背部に連結された釣り針は、ルアー本体の後端側に向かって倒したとき、釣り針の先端がルアー本体の後端から突出しない長さであることを特徴とする請求項１，２又は３に記載のルアー。
【請求項５】
前記ルアー本体の腹部に釣り針が連結されていることを特徴とする請求項１，２，３又は４に記載のルアー。
【発明の詳細な説明】
【０００１】
【発明の属する技術分野】
本発明は、魚の捕食に際して口の中に入り易く、且つ針掛かりの良いルアーに関する。
【０００２】
【従来の技術】
ルアーフィッシングが盛んになり、数多くの種類のルアーが開発され使用されている。かかるルアーとして、魚の餌となる小魚等の姿を模したルアーが多く使用されており、一般に、ルアー本体に単数ないし２〜３の釣り針が配備されている。この種のルアーは魚を引きつけるために、リーリングによってあたかも小魚が水中を遊泳するかの如き自然な動きをさせるために工夫がなされ、特に、ルアー本体に配備される釣り針にあっては、できるだけルアー本体の動きの妨げとならず、またバランサーとしての役目をさせ、且つ魚の食い付や針掛かりをよくするために苦心している。
【０００３】
従来、ルアー本体の動きの妨げを少なくし、またバランサーとしての役目をさせ、且つ魚の食い付や針掛かりをよくするように釣り針を配備したルアーとして、ルアー本体の腹部及び後方後尾の範囲に釣り針を配備したルアーが知られている（例えば、特許文献１参照）。
【０００４】
【特許文献１】
特開２００２−５１６６９号公報
【０００５】
【発明が解決しようとする課題】
魚の捕食パターンは、魚の種類によって一様ではなく、また攻撃（捕食）方向も一定ではない。上記従来のルアーによれば、ルアー本体の腹部及び後方後尾の範囲に釣り針を配備してあるので、魚が背部から捕食しようとした際、針掛かりし難いといった問題があった。
【０００６】
かかる問題点を解消するものとして、ルアー本体の背部に釣り針を配備することが考えられるが、前記の通り、釣り針はルアー本体に対してバランサーの役目も果たしており、ルアー本体の背部に釣り針を配備することはルアー本体が高重心となってしまい、ルアーの動きを妨げる障害となり、加えて釣り針は環状の連結リングを介して取り付けられ自由に動くようになっており、そのため常に釣り針とルアー本体は同調せず、これによってもルアーの動きを妨げることになる。また、魚は捕食に際してむやみに口を大きくあけるのではなく、その対象となる餌の大きさで開く口の大きさを変えて効率よく捕食しようとするため、ルアー本体の背部に配備された釣り針が捕食の際に魚の口元で弾かれたり、或いは口の中に入らず、うまく針掛かりしないといったこともある。このため、ルアー本体の背部に釣り針を配備することは、上記の問題の存在により全く想定されていないのが現状であった。
【０００７】
本発明の目的は、背部からの捕食に際して口の中に入り易く、且つ針掛かりが良く、更には背部に配備した釣り針が動きを妨げる障害とならないようにしたルアーを提供することにある。
【０００８】
【課題を解決するための手段】
本発明は上記の目的を達成するために、請求項１に記載のルアーは、ルアー本体の背部に釣り針の胴部基端が揺動自在に連結され、該釣り針と前記ルアー本体とには、両者を磁力により吸着し釣り針を前記ルアー本体の背部に倒した状態で固定する吸着手段が備えられていることを特徴とする。
【０００９】
かかる構成から、ルアー本体の背部に釣り針の胴部基端が揺動自在に連結されているので、魚が背部から捕食しようとした際、針掛かりがし易く、そして、前記釣り針は吸着手段によりルアー本体の背部に倒した状態で固定されているので、釣り針とルアー本体が一体化し、リーリング時に釣り針とルアー本体は動きを共にし大きくバランスを崩すことがなく、ルアーに期待する動きを求めることができ、また、釣り針とルアー本体が一体化した状態にあるので背部からの捕食に際して口の中に入り易く針掛かりが良い。また、釣り針に魚が掛かったときは、魚に引っ張られて釣り針とルアー本体の固定状態が解かれる。前記吸着手段により固定した釣り針とルアー本体を解放する力は、磁力の調整で任意に設定することができる。
【００１０】
請求項２に記載のルアーは、請求項１に記載の、前記吸着手段は、磁性体で全部或いは一部が構成された釣り針と、ルアー本体に設けられた磁石からなることを特徴とする。
【００１１】
かかる構成から、吸着手段が磁性体で全部或いは一部が構成された釣り針とルアー本体に設けられた磁石からなるので、釣り針をルアー本体の指定位置に自動的に且つ確実に吸着固定できる。また、構成が簡単なので、製造が容易となり安価に得ることができる。
【００１２】
請求項３に記載のルアーは、請求項２に記載の、前記ルアー本体の背部の釣り針固定位置には、前記倒した釣り針の胴部が納まる凹部が設けられていることを特徴とする。
【００１３】
かかる構成から、釣り針の位置決めが確実なものとなり、釣り針を安定した状態で固定することができる。また、釣り針の胴部がルアー本体の凹部に納まるので、その分ルアー本体の重心を低くすることができ、高重心によるバランスの不安定が改良でき、ルアーに一層良好な動きを求めることができるとともに、ルアー本体からの釣り針の突出を必要最小限度にすることが可能となり背部からの捕食に際して口の中に一層入り易く針掛かりが良い。
【００１４】
請求項４に記載のルアーは、請求項１，２又は３に記載の、ルアー本体の背部に連結された釣り針は、ルアー本体の後端側に向かって倒したとき、釣り針の先端がルアー本体の後端から突出しない長さであることを特徴とする。
【００１５】
かかる構成から、背部からの捕食に際して口の中に一層入り易く針掛かりが良い。
【００１６】
請求項５に記載のルアーは、請求項１，２，３又は４に記載の、前記ルアー本体の腹部に釣り針の胴部基端が揺動自在に連結されていることを特徴とする。
【００１７】
かかる構成から、腹部からの捕食に対しても対応できるものとなる。
【００１８】
【発明の実施の形態】
図１乃至図４は本発明に係るルアーの実施の形態の一例を示すものであり、図１は本例の斜視図、図２は正面図、図３は図２の後部側拡大縦断面図、図４は図２のＡ−Ａ線拡大断面図である。
【００１９】
図において、１はルアー本体であり、ルアー本体１の形状や材質にあっては特に限定されるものではない。本例では、小魚の姿に模した形状に形成されている。  前記ルアー本体１の先端には釣り糸を連結する連結部２が設けられている。また、ルアー本体１の背部には、釣り針３を連結する連結部４が設けられており、この連結部４に、環状の連結リング５を介して釣り針３の胴部３ａの基端が揺動自在に連結されている。本例では、前記釣り針３は、該釣り針３をルアー本体１の後端側に向かって倒したとき、釣り針３の先端がルアー本体１の後端から突出しない長さとなっている。
【００２０】
また、前記ルアー本体１と釣り針３とには、両者を磁力により吸着し釣り針３を前記ルアー本体１の背部に倒した状態で固定する吸着手段６が備えられている。前記吸着手段として、本例では、ルアー本体１に設けられた磁石７と磁性体からなる釣り針３とにより構成されているが、これに限定されるものではなく、釣り針３の一部が磁性体で構成されていてもよく、また、釣り針３に磁石が設けられ、ルアー本体１に磁性体が設けられていてもよい。しかし、製造の容易さから、ルアー本体１に磁石７を設け、釣り針３の全部或いは一部を磁性体で構成することが好ましい。前記吸着手段６により釣り針３とルアー本体１を固定する力、即ち、固定された釣り針３に魚が掛かったときに釣り針３とルアー本体１が解放される力は、前記磁石７の磁力の調整で任意に設定することができる。
【００２１】
前記釣り針３をルアー本体１の背部に吸着手段６により固定する位置は、釣り針３をルアー本体１の後端側に向かって倒した位置であり、本例では、当該位置で前記釣り針３を吸着固定できるように、ルアー本体１に磁石７が設けられている。
【００２２】
また、前記ルアー本体１の背部の釣り針固定位置には、前記倒した釣り針の胴部が納まる凹部８が設けられている。この凹部８は、釣り針３の胴部３ａが納まる深さに形成されており、この凹部８に釣り針３の胴部３ａを納めたとき、釣り針３の針部３ｂがルアー本体１から突出するようになっている。また、凹部８の入口部はテーパー面８ａとなっている。
【００２３】
また、本例では前記ルアー本体１の腹部にも釣り針３が揺動自在に連結されている。
【００２４】
上記のように構成されたルアーは、ルアー本体１の背部に釣り針３の胴部３ａの基端が揺動自在に連結されているので、魚が背部から捕食しようとした際、針掛かりがし易く、そして、通常は、前記釣り針３は吸着手段６によりルアー本体１の背部に倒した状態で固定されているので、釣り針３とルアー本体１が一体化し、リーリング時に釣り針３とルアー本体１は動きを共にし大きくバランスを崩すことがなく、ルアーに期待する動きを求めることができ、また、釣り針３とルアー本体１が一体化した状態にあるので背部からの捕食に際して口の中に入り易く針掛かりが良い。また、釣り針３に魚が掛かったときは、魚に引っ張られて釣り針３とルアー本体１の固定状態が解かれ、釣り針３としての通常の効果が果たされる。
【００２５】
また、釣り針３は吸着手段により通常は自動的にルアー本体１の所定の固定位置に吸着固定されるが、本例では、前記ルアー本体１の背部の釣り針３の固定位置に、前記倒した釣り針３の胴部３ａが納まる凹部８が設けられているので、釣り針３の位置決めが確実なものとなり、釣り針３を安定した状態で固定することができ、しかも、凹部８の入口部はテーパー面８ａとなっているので、釣り針３の胴部３ａが凹部８に容易に納まるものとなる。
【００２６】
また、釣り針３の胴部３ａがルアー本体１の凹部８に納まるので、その分ルアー本体１の重心を低くすることができ、高重心によるバランスの不安定が改良でき、ルアーに一層良好な動きを求めることができるとともに、ルアー本体１からの釣り針３の突出を必要最小限度にすることが可能となり背部からの捕食に際して口の中に一層入り易く針掛かりが良いものとなる。
【００２７】
また、本例では、ルアー本体１の背部に連結された釣り針３は、ルアー本体１の後端側に向かって倒したとき、釣り針３の先端がルアー本体１の後端から突出しない長さであるので、背部からの捕食に際して口の中に一層入り易く針掛かりが良い。
【００２８】
また、本例では、前記ルアー本体１の腹部に釣り針３が連結されているので、腹部からの捕食に対しても対応できるものとなる。
【００２９】
【発明の効果】
以上のように、本発明に係るルアーによれば、背部からの捕食に際して口の中に入り易く、且つ針掛かりが良く、更には背部に配備した釣り針が動きを妨げる障害とならず、リーリング時に釣り針とルアー本体は動きを共にし大きくバランスを崩すことがなく、ルアーに期待する動きを求めることができ、また、構成が簡単なので製造が容易であり安価に得ることができるといった効果がある。
【図面の簡単な説明】
【図１】本発明に係るルアーの実施の形態の一例を示す斜視図。
【図２】図１に示すルアーの正面図。
【図３】図２の後部側拡大縦断面図。
【図４】図２のＡ−Ａ線断面図。
【符号の説明】
１  ルアー本体
２  連結部
３  釣り針
３ａ  胴部
３ｂ  針部
４  連結部
５  連結リング
６  吸着手段
７  磁石
８  凹部
８ａ  テーパー面
【図１】
2004337063.tif 000003
【図２】
2004337063.tif 000004
【図３】
2004337063.tif 000005
【図４】
2004337063.tif 000006